(57)【要約】  メディアサーバがメディアコンテンツの取り込み時にそのメディアコンテンツから取り込みタグ付け情報を取得するステップと、この取り込みタグ付け情報および前記メディアコンテンツをアプリケーションサーバに送信するステップとを含む、メディアコンテンツにタグを自動的に付与するための方法。この取り込みタグ付け情報の少なくとも一部を含むタグ付け情報でメディアコンテンツにタグを付与するアプリケーションサーバ。
2013522708.tif 000002
【特許請求の範囲】
【請求項１】
メディアコンテンツにタグを自動的に付与するための方法であって、メディアサーバ（ＭＳ；ＩＭＳ）が前記メディアコンテンツを取り込むときに前記メディアコンテンツから取り込みタグ付け情報を取得するステップと、前記取り込みタグ付け情報および前記メディアコンテンツをアプリケーションサーバ（ＡＳ；ＩＡＳ）に送信するステップと、前記アプリケーションサーバが前記メディアコンテンツに、前記取り込みタグ付け情報の少なくとも一部を含むタグ付け情報でタグを付与するステップとを含む、方法。
【請求項２】
前記アプリケーションサーバ（ＡＳ；ＩＡＳ）が、外部ソースから補足的なタグ付け情報をさらに取得して、前記タグ付け情報に前記補足的なタグ付け情報を含めることを特徴とする、請求項１に記載の方法。
【請求項３】
前記メディアサーバ（ＭＳ；ＩＭＳ）が、前記アプリケーションサーバの制御下で前記取り込みタグ付け情報を取得することを特徴とする、請求項１に記載の方法。
【請求項４】
前記メディアサーバが、メディアコンテンツを取り込むように適合されたメディアコンテンツ取り込み手段を含み、前記メディアコンテンツを取り込むときに前記メディアコンテンツから取り込みタグ付け情報を取得するように適合された処理手段と、前記取り込みタグ付け情報および前記メディアコンテンツをアプリケーションサーバに送信する送信手段とをさらに含むことを特徴とする、請求項１に記載の方法を実現するためのメディアサーバ（ＭＳ；ＩＭＳ）。
【請求項５】
前記メディアサーバがテレビ会議システムの一部であり、前記コンテンツ取り込み手段が、テレビ会議の音声フローおよび映像フローを記録して合成するように適合されることを特徴とし、前記処理手段が、前記テレビ会議の少なくとも１人の参加者によって実行された行為に関連する情報を前記取り込みタグ付け情報として取得するように適合された、請求項４に記載のメディアサーバ（ＭＳ）。
【請求項６】
制御情報を受信するように適合された受信手段をさらに含むことを特徴とし、前記処理手段が、前記制御情報に基づいて前記取り込みタグ付け情報を取得するようにさらに適合される、請求項４に記載のメディアサーバ（ＭＳ；ＩＭＳ）。
【請求項７】
メディアサーバ（ＭＳ；ＩＭＳ）からメディアコンテンツを受信するように適合された受信手段を含み、前記受信手段がまた、前記メディアサーバから取り込みタグ付け情報を受信するように適合され、前記アプリケーションサーバが、タグ付けされたメディアコンテンツを取得するために前記取り込みタグ付け情報の少なくとも一部を含むタグ付け情報で前記メディアコンテンツにタグを付けするように適合されたタグ付け手段をさらに含むことを特徴とする、請求項１または請求項２に記載の方法を実現するためのアプリケーションサーバ（ＡＳ；ＩＡＳ）。
【請求項８】
前記受信手段が、追加のタグ付け情報を受信するようにさらに適合され、前記アプリケーションサーバが、前記タグ付け情報を取得するために前記取り込みタグ付け情報を前記追加のタグ付け情報と結合する処理手段も含むことを特徴とする、請求項７に記載のアプリケーションサーバ（ＡＳ；ＩＡＳ）。
【請求項９】
前記アプリケーションサーバがテレビ会議システムの一部であり、前記取り込みタグ付け情報が、前記テレビ会議の少なくとも１人の参加者によって実行された行為に関連する情報であることを特徴とする、請求項７または請求項８に記載のアプリケーションサーバ（ＡＳ）。
【発明の詳細な説明】
【技術分野】
【０００１】
本発明は、メディアコンテンツにタグを自動的に付与するための方法に関する。
【背景技術】
【０００２】
ユーザ生成コンテンツアプリケーションまたはコラボレーションツールなどの知られているメディア管理システムは、メディアを記述するために、メタデータとも呼ばれるタグを大いに利用する。これらのタグを利用することによって、大量のコンテンツの中から後で調査または参照を行うことが可能になる。これらのタグは、手動で、またはタグ付けエンジンのレベルで入手可能な情報もしくはメタデータ、たとえば映画のタイトル、著者の名前などを使用する自動タグ付けエンジンによって、追加される。
【０００３】
しかし、タグ付けに使用できるいくつかの情報は、特に対話型環境で、メディア取り込み処理そのものから作り出されることができる。たとえば、テレビ会議では、このような情報は、たとえば、どの会議出席者が所与の時間に話しているか、または使用されたユーザとの対話処理が何か、とすることができる。この情報は、メディアサーバによって一般に扱われるメディア取り込みからのみ見え、タグ付けエンジンのレベルで入手不可能である。
【先行技術文献】
【非特許文献】
【０００４】
【非特許文献１】ｈｔｔｐ：／／ｗｗｗ．ｒｆｃ−ｅｄｉｔｏｒ．ｏｒｇ／ｒｆｃ／ｒｆｃ４７２２．ｔｘｔ（第５章）
【発明の概要】
【発明が解決しようとする課題】
【０００５】
本発明の目的は、この欠点を克服することである。
【課題を解決するための手段】
【０００６】
本発明による方法は、メディアコンテンツにタグを自動的に付与するための方法であるので、この目的を実現し、前記方法は、メディアサーバが前記メディアコンテンツを取り込むときに前記メディアコンテンツから取り込みタグ付け情報（ｃａｐｔｕｒｅ  ｔａｇｇｉｎｇ  ｉｎｆｏｒｍａｔｉｏｎ）を取得するステップと、前記取り込みタグ付け情報および前記メディアコンテンツをアプリケーションサーバに送信するステップと、前記アプリケーションサーバが前記メディアコンテンツに、前記取り込みタグ付け情報の少なくとも一部を含むタグ付け情報でタグを付与するステップとを含む。
【０００７】
このようにして、メディア情報のメディアサーバによる取り込み時にこの取り込まれたデータのみから入手可能な情報が、タグ付けエンジンが常駐するアプリケーションサーバにとって、メディアデータのタグ付けに利用可能となる。
【０００８】
本発明による方法の一実施形態のさらなる特徴は、前記アプリケーションサーバが、外部ソースから補足的なタグ付け情報をさらに取得して、前記タグ付け情報に前記補足的なタグ付け情報を含めることである。このような補足的なタグ付け情報は、たとえば、メディアデータが映画である場合、前述のように映画のタイトルまたは俳優の名前とすることができる。
【０００９】
本発明による方法の一実施形態の別のさらなる特徴は、前記メディアサーバが、前記アプリケーションサーバの制御下で前記取り込みタグ付け情報を取得することである。このようにして、タグ付け情報の取り込みは対話型になされる。
【００１０】
本発明はまた、上記の方法を実現するためのメディアサーバに関し、前記メディアサーバは、メディアコンテンツを取り込むように適合されたメディアコンテンツ取り込み手段を含み、前記メディアコンテンツを取り込むときに前記メディアコンテンツから取り込みタグ付け情報を取得するように適合された処理手段と、前記取り込みタグ付け情報および前記メディアコンテンツをアプリケーションサーバに送信するための送信手段とをさらに含むことを特徴とする。
【００１１】
本発明によるメディアサーバの一実施形態のさらなる特徴は、前記メディアサーバがテレビ会議システムの一部であり、前記コンテンツ取り込み手段が、テレビ会議の音声フローおよび映像フローを記録して合成する（ｍｉｘ）ように適合され、前記処理手段が、前記テレビ会議の少なくとも１人の参加者によって実行された行為に関連する情報を前記取り込みタグ付け情報として取得するように適合されることである。
【００１２】
この環境では、取り込みタグ付け情報は、たとえば、誰が所与の時間に話しているか、またはどのキーボードキーが誰によって押されたか、とすることができる。
【００１３】
本発明によるメディアサーバの一実施形態の別のさらなる特徴は、このメディアサーバは、制御情報を受信するように適合された受信手段をさらに含み、前記処理手段が、前記制御情報に基づいて前記取り込みタグ付け情報を取得するようにさらに適合されることである。
【００１４】
本発明はまた、上記の方法を実現するためのアプリケーションサーバに関し、前記アプリケーションサーバは、メディアサーバからメディアコンテンツを受信するように適合された受信手段を含み、前記受信手段がまた、前記メディアサーバから取り込みタグ付け情報を受信するように適合され、前記アプリケーションサーバが、タグ付けされたメディアコンテンツを取得するために前記取り込みタグ付け情報の少なくとも一部を含むタグ付け情報で前記メディアコンテンツにタグを付けするように適合されたタグ付け手段をさらに含むことを特徴とする。
【００１５】
本発明によるアプリケーションサーバの一実施形態の特徴は、前記受信手段が、追加のタグ付け情報を受信するようにさらに適合され、前記アプリケーションサーバが、前記タグ付け情報を取得するために前記取り込みタグ付け情報を前記追加のタグ付け情報と結合する処理手段も含むことである。
【００１６】
本発明によるアプリケーションサーバの一実施形態のさらなる特徴は、前記アプリケーションサーバがテレビ会議システムの一部であり、前記取り込みタグ付け情報が、前記テレビ会議の少なくとも１人の参加者によって実行された行為に関連する情報であることである。上述のように、この環境では、取り込みタグ付け情報は、たとえば、誰が所与の時間に話しているか、またはどのキーボードキーが誰によって押されたか、とすることができる。補足的なタグ付け情報は、たとえば、会議出席者の地理位置特定（ｇｅｏｌｏｃａｌｉｚａｔｉｏｎ）または会議出席者の参加状態に関する情報とすることができる。
【００１７】
以下に、本発明の実施形態による方法およびサーバの実施形態を、単なる例示として添付の図面を参照しながら説明する。
【図面の簡単な説明】
【００１８】
【図１】方法の一実施形態を実現するテレビ会議システムを示す図である。
【図２】同様に方法の一実施形態を実現する対話型サービスを提供するシステムを示す図である。
【発明を実施するための形態】
【００１９】
図１に示されるテレビ会議システムは、ネットワーク（図示せず）を介してアプリケーションサーバＡＳに接続されたメディアサーバＭＳからなる。ＡＳは、メディアリポジトリＭＲを利用し、ＭＲは、ＡＳと同じ位置に配置されてもよいし、ネットワークを介してアクセス可能であってもよい。ＭＲは、同様にネットワーク（図示されず）に接続されたアプリケーションエンティティＡＥにデータを提供する。
【００２０】
ＡＥは、そのネットワーク上のＡＳを制御し、参加者（図示されず）がテレビ会議にアクセスできるユーザエンティティＵＥ１、ＵＥ２、ＵＥ３、およびＵＥ４によってアクセスされることができる（図１：矢印１−４）。
【００２１】
代替実施形態（図示されず）では、ユーザエンティティがアプリケーションサーバを直接的に制御するか、または、アプリケーションサーバもしくはアプリケーションエンティティは、第三者によって制御されるが、この第三者は必ずしも会議の出席者ではない。
【００２２】
ＭＳは、音声フローと映像フローを合成して、どの話者が映されなければならないかを選択するなどの会議の「現場管理」を実行する。テレビ会議がどのように実現および管理されるかは、本発明の主題ではないので、詳細に説明されない。それに関するさらなる詳細は、たとえばｈｔｔｐ：／／ｗｗｗ．ｒｆｃ−ｅｄｉｔｏｒ．ｏｒｇ／ｒｆｃ／ｒｆｃ４７２２．ｔｘｔ（第５章）で見つけられる。
【００２３】
テレビ会議は、ＡＳを介したＡＥからの要求（図１：矢印１０）があると、ＭＳによって記録される。これは、たとえば、会議の議事録を作成するために、または誰が何を言ったかを法的に調査するために、参加者のうちの１人によって要求されることができる。
【００２４】
ＡＳの制御（図１：矢印１１）下で、ＭＳは、誰が所与の時間に発言したか、どのキーボードのキーが誰によって押されたかなど、記録されているメディアに固有の情報を収集する。たとえば、ＡＳがＭＳに最も声の大きい話者に発言権を与えるように指示した場合、ＭＳは、誰が最も声の大きい話者であるかを検出し、この情報を、ＡＳに送信されるべきタグ付け情報として記録する。
【００２５】
このようにして取得された情報は、記録されたメディア（矢印４および６）と共に、ＡＳに送信される。これはその場で行われてもよいし、ＭＳがすべてのデータを収集して、テレビ会議後にＡＳに完全なファイルを送信してもよい。ＡＳは、次に、そのデータを保存のためにＭＲに転送する（図１：矢印８）。
【００２６】
これは、ＭＳＣＭＬ、ＨＴＭＬ、ＦＴＰ．．．などの既存のプロトコルを使用して行われる。
【００２７】
ＡＳはまた、外部ソース（図示されず）から、たとえば地理位置特定サーバまたはユーザプロファイルＨＳＳなどからメタデータを受信する（図１：矢印７）。
【００２８】
図２は、動作が画像認識によって制御される対話型アプリケーションエンティティＩＡＥを表す。代替形態では、このようなアプリケーションは、たとえば音声認識によって、または物体認識によって制御されることもできる。
【００２９】
カメラであるユーザエンティティＵＥによってインタフェースＩ１を介して提供された画像を記録するとき、画像サイズおよびカメラの視野（ｃａｍｅｒａ  ｆｉｅｌｄ）内での位置などの認識された画像に関連するタグ付け情報は、メディアサーバＭＳＩによって取得される。このタグ付け情報は、画像と共に、Ｉ２およびＩ３のインタフェースを介してアプリケーションサーバＩＡＳに通信される。ＩＡＳは、取得された情報で、および場合によっては外部から取得された追加情報（図２の矢印Ｉ４）で画像にタグを付与し、このタグ付けされた画像を（図２に示されるＩ５を通じて）リポジトリＩＭＲに保存する。
【００３０】
ＭＳＩによる取り込みは、ＡＳによって制御される（図２：矢印Ｉ１１）。この制御は、直接的に、または代替形態ではＩＡＥを介して、ＵＥによって起動される。
【００３１】
上述の機能が、専用ハードウェア、ならびに適切なソフトウェアに関連するソフトウェアを実行することが可能なハードウェアを使用することによって提供されうることは注目されなければならない。これらの機能は、プロセッサによって提供される場合、単一の専用プロセッサによって、単一の共有プロセッサによって、またはそのうちのいくつかが共有されうる複数の個々のプロセッサによって提供されることができる。慣用および／またはカスタムのその他のハードウェアも含まれうる。
【００３２】
また、上記の説明および図面は、本発明の原理を例示しているに過ぎない。したがって、本明細書において明示的に記載または図示されていなくても、本発明の原理を具体化し、本発明の趣旨および範囲内に含まれる種々の構成を本明細書に基づいて当業者が考案できることは理解されよう。そのうえ、本明細書に記載される実施例は、主に、本発明の原理および当技術分野を発展させるために本発明者によって貢献される概念を読者が理解する助けとなるための教示の目的を明示的に意図されたものに過ぎず、このように具体的に記載された例および条件に限定されないと解釈されるべきである。さらに、本発明の原理、態様、および実施形態、ならびにその具体的な例を記載する本明細書内のすべての記述は、その均等物を包含することが意図されている。
【図１】
2013522708.tif 000003
【図２】
2013522708.tif 000004
【国際調査報告】
2013522708.tif 000005
2013522708.tif 000006
2013522708.tif 000007